(57)【要約】【課題】防塵性能を確保するとともに放熱性能が改善されたプロジェクタを提供する。【解決手段】プロジェクタ１は、光変調装置１３０と、光変調装置１３０からの光を投射する投射レンズ２０と、光変調装置１３０を密閉収容する密閉筐体１１０と、密閉筐体１１０が内部に配置されるプロジェクタ筐体１０と、密閉筐体１１０の上部に設けられ、密閉筐体１１０内から吸熱し、密閉筐体外に放熱する熱交換器１７０と、密閉筐体１１０内に設けられ、密閉筐体１１０の下面に沿って設けられた導風路Ｓ２を光変調装置１３０が配置された主要空間Ｓ１から区画し、主要空間Ｓ１導風路Ｓ２とを連通する入口１１５ａおよび熱交換器１７０に向けられている出口１１５ｂを有する導風壁１１５と、入口１１５ａに設けられ、主要空間Ｓ１内の空気を導風路Ｓ２内に導入し、導風路Ｓ２内の空気を出口１１５ｂまで誘導し、出口１１５ｂから熱交換器１７０に送風するシロッコファン１５０，１５１とを備える。【選択図】図１１
2018205462.tif 000002
【特許請求の範囲】
【請求項１】
光変調装置と、
前記光変調装置からの光を投射する投射レンズと、
前記光変調装置を密閉収容する密閉筐体と、
前記密閉筐体が内部に配置されるプロジェクタ筐体と、
前記密閉筐体の上部に設けられ、前記密閉筐体内から吸熱し、前記密閉筐体外に放熱する吸熱部と、
前記密閉筐体内に設けられ、前記密閉筐体の下面に沿って設けられた導風路を前記光変調装置が配置された主要空間から区画し、前記主要空間と前記導風路を連通する入口および前記吸熱部に向けられている出口を有する導風壁と、
前記入口に設けられ、前記主要空間内の空気を前記導風路内に導入し、前記導風路内の前記空気を前記出口まで誘導し、前記出口から前記吸熱部に送風する第１のシロッコファンと
を備える、プロジェクタ。
【請求項２】
前記投射レンズの光軸方向から見て、前記第１のシロッコファンは、前記光変調装置に対して前記吸熱部と反対側に配置されている、請求項１に記載のプロジェクタ。
【請求項３】
前記第１のシロッコファンは、前記密閉筐体の第１側部に配置され、
前記吸熱部は、前記第１側部と対向する第２側部に配置され、
前記投射レンズは、光軸が前記第１側部と前記第２側部との間で延びるように配置され、
前記第１のシロッコファンによって誘導される前記密閉筐体内の空気は、前記光軸周りを循環するようにされている、請求項１または請求項２に記載のプロジェクタ。
【請求項４】
前記プロジェクタ筐体と、前記密閉筐体とは、下面を共有している、請求項１から請求項３のいずれか１項に記載のプロジェクタ。
【請求項５】
前記導風路の前記出口にて前記吸熱部に向かって配置された第２のシロッコファンを備える、請求項１から請求項４のいずれか１項に記載のプロジェクタ。
【請求項６】
前記光変調装置に向かって配置された第３のシロッコファンをさらに備える、請求項１から請求項５のいずれか１項に記載のプロジェクタ。
【請求項７】
前記投射レンズは取り外し可能であって、
前記投射レンズの取り付け状態を検知する検知部と、
前記検知部にて検知された取り付け状態が前記投射レンズを取り外した状態であるか否かを判定する判定部と、前記判定部によって前記投射レンズを取り外した状態であると判定された際に前記第１のシロッコファンを停止するファン停止部とを有する制御装置と
をさらに備える、請求項１から請求項６のいずれか１項に記載のプロジェクタ。
【発明の詳細な説明】
【技術分野】
【０００１】
本開示は、プロジェクタに関する。
【背景技術】
【０００２】
プロジェクタは、コンサート会場および野外施設等の様々な場所で使用されている。そのため、そのような広い会場で使用しても塵埃等による画質の劣化を抑制できるプロジェクタが求められている。例えば特許文献１には、光変調装置を密閉筐体内に収容することで、防塵化されたプロジェクタが提案されている。
【先行技術文献】
【特許文献】
【０００３】
【特許文献１】特開２０１６−２１８３８３号公報
【発明の概要】
【発明が解決しようとする課題】
【０００４】
しかし、光変調装置を密閉筐体内に収容すると、光変調装置の発する熱が密閉筐体内に籠り、悪影響を及ぼすおそれがある。これに対し、特許文献１では、密閉筐体内の空気を循環ファンによって循環させることで光変調装置を冷却および放熱することが開示されているが、空気の循環経路について詳細に検討されておらず、放熱性能の観点から未だ改善の余地がある。
【０００５】
本開示は、防塵性能を確保するとともに放熱性能が改善されたプロジェクタを提供する。
【課題を解決するための手段】
【０００６】
本開示のプロジェクタは、光変調装置と、光変調装置からの光を投射する投射レンズと、光変調装置を密閉収容する密閉筐体と、密閉筐体が内部に配置されるプロジェクタ筐体と、密閉筐体の上部に設けられ、密閉筐体内から吸熱し、密閉筐体外に放熱する吸熱部と、密閉筐体内に設けられ、密閉筐体の下面に沿って設けられた導風路を光変調装置が配置された主要空間から区画し、主要空間と導風路を連通する入口および吸熱部に向けられている出口を有する導風壁と、入口に設けられ、主要空間内の空気を導風路内に導入し、導風路内の空気を出口まで誘導し、出口から吸熱部に送風する第１のシロッコファンとを備える。
【発明の効果】
【０００７】
本開示によれば、プロジェクタにおいて、密閉筐体内に光変調装置を収容することで防塵性能を確保し、さらに導風路を密閉筐体の下面に沿って配置することで、密閉筐体の下面からの放熱効率を向上させ、即ち放熱性能を改善できる。
【図面の簡単な説明】
【０００８】
【図１】本開示の実施形態に係るプロジェクタの外観を示す斜視図
【図２】図１のプロジェクタ筐体の内部を示す斜視図
【図３】図２の光学ユニットを示す斜視図
【図４】図２の密閉筐体の内部を示す第１斜視図
【図５】図２の密閉筐体の内部を示す第２斜視図
【図６】図２の密閉筐体と下面パネルとの組み合わせを示す部分分解図
【図７】図２の光学ユニットの正面図
【図８】図２の光学ユニットを下方から見た斜視図
【図９】図２の光学ユニットの断面図
【図１０】制御装置による制御を示すブロック図
【図１１】図９の構成を示す模式図
【図１２】他の実施形態に係るプロジェクタの追加冷却機構を示す斜視図
【発明を実施するための形態】
【０００９】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。なお、発明者は、当業者が本開示を十分に理解するために添付図面および以下の説明を提供するのであって、これらによって特許請求の範囲に記載の主題を限定することを意図するものではない。
【００１０】
（第１実施形態）
［１．構成］
図１は、本開示の実施形態に係るプロジェクタ１の外観を示す斜視図である。プロジェクタ１は、内部に備える光源から射出された光束を画像情報に応じて変調して光学像を形成し、形成した光学像をスクリーン上に拡大投射するものである。プロジェクタ１は、概ね直方体状のプロジェクタ筐体１０と、プロジェクタ筐体１０から露出する投射レンズ２０とを備える。プロジェクタ筐体１０の下面の四隅には概ね円柱状の脚部材１１が取り付けられており、プロジェクタ１は脚部材１１を介して設置される。説明の便宜上、投射レンズ２０の光軸Ｌが延びる方向のうち、投射方向（矢印Ａ方向）を前方とし、その反対方向（矢印Ｂ方向）を後方とする。
【００１１】
投射レンズ２０は、鏡筒内に複数のレンズが収納された組レンズとして構成され、プロジェクタ１の装置本体によって画像情報に応じて変調された光学像を拡大投射する。本実施形態では、投射レンズ２０は、取り外し可能である。投射レンズ２０を取り換えることで、用途に応じて拡大倍率を変更できる。
【００１２】
プロジェクタ筐体１０は、投射レンズ２０が貫通する孔部１２ａを有する前面パネル１２と、前面パネル１２と対向する後面パネル１３とを備える。また、プロジェクタ筐体１０は、４個（内２個が図示されている）の脚部材１１が取り付けられた下面パネル１４と、下面パネル１４と対向する上面パネル１５と、下面パネル１４および上面パネル１５を接続する２つの側面パネル１６，１７とを備える。各パネル１２〜１７は、合成樹脂製であり、これらが図示のように組み合わされ、ねじ止めにより固定されることで、直方体状のプロジェクタ筐体１０が構成される。特に、プロジェクタ筐体１０には放熱用の複数の放熱孔１８が設けられており、放熱孔１８を介してプロジェクタ筐体１０の内部の熱を外部に放出できる構成となっている。
【００１３】
図２は、図１のプロジェクタ１の状態から、上面パネル１５と、投射レンズ２０とを取り外した状態を示す斜視図である。プロジェクタ筐体１０の内部には、投射レンズ２０に機械的に接続される光学ユニット１００と、光学ユニット１００に光を供給する光源装置（図示せず）と、光学ユニット１００および光源装置に電力を供給する電源装置（図示せず）と、これらを制御する制御装置３０（図１０参照）とが配置される。
【００１４】
図３は、図２の光学ユニット１００を示す斜視図である。光学ユニット１００は、密閉筐体１１０によって覆われた密閉構造を有している。密閉筐体１１０は、概ね直方体状であり、下側マウントケース１１１と、下側マウントケース１１１の上方に組み合わされる上側マウントケース１１２と、下側マウントケース１１１の側方に組み合わされるファンケース１１３と、ファンケース１１３の上方かつ上側マウントケース１１２の側方に組み合わされる熱交換器ケース１１４とを備える。
【００１５】
下側マウントケース１１１は、光学ユニット１００において主要な光学部品が配置されるケースであり、光学ユニット１００の前面も構成している。この前面には投射レンズ２０（図１参照）を取り付けるための円形のレンズ取付穴１１１ａが形成されている。レンズ取付穴１１１ａに投射レンズ２０が取り付けられた状態では、レンズ取付穴１１１ａが投射レンズ２０によって完全に閉じられるため、密閉筐体１１０の内部は密閉空間となる。また、この前面においてレンズ取付穴１１１ａの近傍には、投射レンズ２０を取り外すためのボタン１１１ｂが設けられている。ユーザは、ボタン１１１ｂを押下することで、投射レンズ２０を容易に取り外すことができる構成となっている。上側マウントケース１１２は、下側マウントケース１１１の蓋体となるケースである。ファンケース１１３および熱交換器ケース１１４は、後述するようにシロッコファン１６０，１６１（図８参照）および熱交換器１７０をそれぞれ収容し、さらに空気の循環経路を規定するケースである。そのため、ファンケース１１３および熱交換器ケース１１４の内部空間は、下側マウントケース１１１および上側マウントケース１１２によって形成される空間と流体的に連通している。なお、下側マウントケース１１１およびファンケース１１３の下面は開口しており、図２に示すように光学ユニット１００が下面パネル１４上に配置されることで、下面パネル１４によってこれらの開口が閉じられる。即ち、プロジェクタ筐体１０と、密閉筐体１１０とは、下面を共有している。
【００１６】
図４は上側マウントケース１１２を取り外して密閉筐体１１０の内部を示す前方から見た斜視図であり、図５はそれを後方から見た斜視図である。図４および図５を併せて参照すると、下側マウントケース１１１内には、照明光入射部１２０と、ＤＬＰ（Ｄｉｇｉｔａｌ  Ｌｉｇｈｔ  Ｐｒｏｃｅｓｓｉｎｇ：登録商標）方式の光変調素子であるＤＭＤ（デジタル・ミラー・デバイス）を含む光変調装置１３０と、シロッコファン（第３のシロッコファン）１４０〜１４２とが設けられている。本実施形態では、光変調の方式としてＤＬＰ方式が採用されている。ＤＬＰ方式のプロジェクタの光学機構は既知であるため、詳細な説明および図示は、以下において省略されることがある。
【００１７】
照明光入射部１２０は、光源装置（図示せず）からの照明光を光変調装置１３０に誘導する部分である。照明光入射部１２０は、光源装置（図示せず）からの光を採り入れるレンズ付きの開口である採光部１２１と、採光部１２１から採り入れた光を光変調装置１３０に誘導するための鏡筒およびミラー等からなる光誘導部１２２とを備える。
【００１８】
光変調装置１３０は、画像情報に応じて照明光入射部１２０からの光を変調し、所望の光学像を形成する部分である。光変調装置１３０は、変調色としての赤色、緑色、青色にそれぞれ対応するＤＭＤ１３１〜１３３と、照明光入射部１２０からの光を各ＤＭＤ１３１〜１３３に対応した所定の波長に分けて各ＤＭＤ１３１〜１３３に誘導するプリズム１３４とを備える。また、プリズム１３４は、各ＤＭＤ１３１〜１３３にて変調された光を投射レンズ２０にも誘導する。
【００１９】
このようにＤＭＤ１３１〜１３３によって光変調され、形成された所望の光学像は、投射レンズ２０（図１参照）を介してスクリーンなどに拡大投射される。また、ＤＭＤ１３１〜１３３は、機能上、発熱する特性を有し、即ち発熱体となっている。従って、本実施形態では、ＤＭＤ１３１〜１３３を冷却するために、ＤＭＤ１３１〜１３３に向けてシロッコファン１４０〜１４２が配置されている。シロッコファン１４０〜１４２は、固定用プレート１４３を介して密閉筐体１１０にそれぞれねじ止めによって固定されている。
【００２０】
図６は、光学ユニット１００の密閉筐体１１０内の密閉空間の詳細を示す部分分解図である。図６には、密閉筐体１１０およびプロジェクタ筐体１０が分解された状態で示されている。下側マウントケース１１１は、上げ底となっている導風壁１１５を有している。そのため、導風壁１１５によって、密閉筐体１１０内の密閉空間は、完全ではないが２つの空間に区画されている。具体的には、上記の発熱体としての光変調装置１３０などの主要な光学部品が配置された主要空間Ｓ１と、その下方に設けられている放熱用の空気の流路となる導風路Ｓ２とに区画されている（図９、図１１参照）。主要空間Ｓ１は、下側マウントケース１１１と上側マウントケース１１２とによって画定される。導風路Ｓ２は、後述するように下側マウントケース１１１と下面パネル１４とファンケース１１３と熱交換器ケース１１４とによって画定される。導風路Ｓ２を形成するために、下面パネル１４は下側マウントケース１１１の形状に対応した凹部１４ａを有し、さらに空気の流動方向を上方に変換するための湾曲面１４ｂを有している。そのため、本実施形態の導風路Ｓ２はＬ字型に湾曲している。導風壁１１５には、２つの円形の開口１１５ａが形成されており、主要空間Ｓ１および導風路Ｓ２は開口１１５ａを介して流体的に連通している。開口１１５ａは、空気の流れの観点から、導風路Ｓ２の入口１１５ａとして構成されている。この入口１１５ａは、前方から見て熱交換器ケース１１４に隣接した下側マウントケース１１１の側部とは反対側の側部の付近に設けられている。この入口（開口）１１５ａには、２個のシロッコファン（第１のシロッコファン）１５０，１５１の吸込口が配置される。従って、シロッコファン１５０，１５１によって、主要空間Ｓ１内の空気を導風路Ｓ２内に導入し、導風路Ｓ２内の空気を後述する出口まで誘導できる。なお、図６は、開口１１５ａの説明上、シロッコファン１５０，１５１が下面パネル１４に載置された状態で示されている。しかし、実際は、シロッコファン１５０，１５１は導風壁１１５に対してねじ止めによって固定されている。
【００２１】
図７は光学ユニット１００の正面図であり、図８は光学ユニット１００を下方から見た斜視図であり、図９は光学ユニット１００を前方から見た断面図である。なお、図９は、断面図であるが、図示を明瞭にするため、断面が表示されている全部品にハッチングを施しておらず、導風壁１１５にのみハッチングを施している。図７から図９を併せて参照して、導風壁１１５の下方には、２個のシロッコファン（第１のシロッコファン）１５０，１５１が配置されている。導風壁１１５は、密閉筐体１１０の下面に沿って延び、さらに熱交換器ケース１１４に収容された熱交換器（吸熱部）１７０までＬ字型に延びている。これにより、導風路Ｓ２も同様にＬ字型に形成され、その出口１１５ｂは熱交換器１７０に向けられている。出口１１５ｂには、ファンケース１１３に収容された２個のシロッコファン（第２のシロッコファン）１６０，１６１が熱交換器１７０に向かって配置されている。従って、導風路Ｓ２内の空気は、シロッコファン１５０，１５１，１６０，１６１によって出口１１５ｂを介して熱交換器１７０に送られる。
【００２２】
図５に示すように、熱交換器１７０は、平行に配置された金属製の複数の矩形の板状のフィン１７１と、これらのフィン１７１の中央部を貫通している複数の液冷パイプ１７２とからなる。熱交換器１７０では、液冷パイプ１７２内に冷媒となる液体が流動しており、空気がフィン１７１の間を通過する際に液冷パイプ１７２によって冷却される。熱交換器１７０は、一部が密閉筐体１１０の内部に配置され、一部が密閉筐体１１０の外部に露出している。従って、密閉筐体１１０の内部の熱は密閉筐体１１０の内部に配置された熱交換器１７０の一部によって吸熱され、吸熱された熱は、熱交換器内１７０で伝導され、密閉筐体１１０の外部に露出した熱交換器１７０の一部から放熱されることができる。
【００２３】
図９に示すように、投射レンズ２０（図１参照）の光軸Ｌ方向から、シロッコファン１５０，１５１と、熱交換器１７０との位置関係を見ると、シロッコファン１５０，１５１は、発熱体となる光変調装置１３０に対して熱交換器１７０と反対側に配置されている。この配置によって、後述するように、図９の矢印によって示される空気の循環構造が達成される。即ち、シロッコファン１５０，１５１によって誘導される密閉筐体１１０内の空気は、光軸Ｌ周りを循環するようにされている。
【００２４】
また、本実施形態では、制御装置３０によってシロッコファン１４０〜１４２，１５０，１５１，１６０，１６１が制御されている。制御装置３０は、ＣＰＵ(Ｃｅｎｔｒａｌ  Ｐｒｏｃｅｓｓｉｎｇ Ｕｎｉｔ)、ＲＡＭ（Ｒａｎｄｏｍ  Ａｃｃｅｓｓ  Ｍｅｍｏｒｙ）、ＲＯＭ（Ｒｅａｄ Ｏｎｌｙ Ｍｅｍｏｒｙ）のような記憶装置を含むハードウェアと、それに実装されたソフトウェアにより構築されている。
【００２５】
図１０は、制御装置３０による制御を示すブロック図である。図１０に概念的に示すように、プロジェクタ１は、投射レンズ２０の取り付け状態を検知する検知部３１を備えている。検知部３１は、投射レンズ２０の取り付け状態を機械的または電気的に検知するセンサである。制御装置３０は、検知部３１にて検知された取り付け状態が投射レンズ２０を取り外した状態であるか否かを判定する判定部３２と、判定部３２によって投射レンズ２０を取り外した状態であると判定された際にシロッコファン１４０〜１４２，１５０，１５１，１６０，１６１を停止するファン停止部３３とを有している。この構成よって、後述するように、適時にシロッコファン１４０〜１４２，１５０，１５１，１６０，１６１を停止し、防塵性能を確保している。
【００２６】
［２．動作］
以上のように構成されたプロジェクタ１について、その動作を以下説明する。ただし、プロジェクタ１の投射動作自体は一般のＤＬＰ方式のプロジェクタ１と同様であるため、説明を省略する。以下では、プロジェクタ１の放熱に関する動作と、制御に関する動作とについて説明する。
【００２７】
［２−１．放熱に関する動作］
図１１は、図９の空気の流れ（矢印参照）をより明瞭に示す模式図である。図９および図１１を併せて参照して、シロッコファン１５０，１５１によって、空気は、入口（開口）１１５ａを通じて主要空間Ｓ１から導風路Ｓ２内に導入される。導風路Ｓ２内に導入された空気は、シロッコファン１５０，１５１，１６０，１６１によって入口１１５ａから出口１１５ｂに向かって誘導される。出口１１５ｂに誘導された空気は、シロッコファン１５０，１５１，１６０，１６１によって、熱交換器１７０に送られ、熱交換器１７０を通過し、さらに発熱体としての光変調装置１３０の近傍を通過し、入口１１５ａまで流動する。このように、本実施形態のプロジェクタ１の密閉筐体１１０内では、光軸Ｌ周りに空気が循環している。
【００２８】
本実施形態で、シロッコファンを使用しているのは、密閉筐体１１０内の密閉空間内で空気を流動させるために十分な静圧を持つファンを使用する必要があるためである。そのため、静圧の観点から、ＤＭＤ１３１〜１３３の直接冷却用に設けられているシロッコファン１４０〜１４２は、空気を循環させるために設けられているシロッコファン１５０，１５１，１６０，１６１よりも小型で小静圧であり得る。また、同じ空気の循環用に設けられているシロッコファン１５０，１５１，１６０，１６１は、静圧の差を設ける必要もなく、同じものであってもよい。
【００２９】
［２−２．制御に関する動作］
図１０に示すように、検知部３１によって投射レンズ２０の取り外し状態を検知できる。そして、検知部３１からの情報を受けて制御装置３０の判定部３２によって取り外し判定を行う。このとき、投射レンズ２０を取り外したと判定された際には制御装置３０のファン停止部３３によってシロッコファン１４０〜１４２，１５０，１５１，１６０，１６１を停止する。これにより、投射レンズ２０を取り外した際に、シロッコファン１４０〜１４２，１５０，１５１，１６０，１６１を駆動して密閉筐体１１０内への塵芥を吸い込むことを防止できる。このとき、本実施形態のように、全てのシロッコファン１４０〜１４２，１５０，１５１，１６０，１６１を停止することが好ましいが、一部のシロッコファンのみを停止してもよい。
【００３０】
［３．効果等］
以上のように、本実施の形態において、プロジェクタ１は、光変調装置１３０と、光変調装置１３０からの光を投射する投射レンズ２０と、光変調装置１３０を密閉収容する密閉筐体１１０と、密閉筐体１１０が内部に配置されるプロジェクタ筐体１０と、密閉筐体１１０の上部に設けられ、密閉筐体１１０内から吸熱し、密閉筐体１１０外に放熱する熱交換器１７０（吸熱部の一例）と、密閉筐体１１０内に設けられ、密閉筐体１１０の下面に沿って設けられた導風路Ｓ２を光変調装置１３０が配置された主要空間Ｓ１から区画し、主要空間Ｓ１と導風路Ｓ２を連通する入口１１５ａおよび熱交換器１７０に向けられている出口１１５ｂを有する導風壁１１５と、入口１１５ａに設けられ、主要空間Ｓ１内の空気を導風路Ｓ２内に導入し、導風路Ｓ２内の空気を出口１１５ｂまで誘導し、出口１１５ｂから熱交換器１７０に送風するシロッコファン１５０，１５１（第１のシロッコファン）とを備える。
【００３１】
これにより、防塵が必要な光変調装置１３０を密閉筐体１１０によって覆うことで、光変調装置１３０に塵芥が付着することを防止し、防塵性能を確保できる。また、密閉筐体１１０内の構成要素を好適に配置することで放熱性能を向上させているため、プロジェクタ１を小型化できる。詳細には、導風壁１１５によって導風路Ｓ２が区画されており、導風路Ｓ２は密閉筐体１１０の下面に沿って配置されている。これにより、密閉筐体１１０内の下部において整流された空気の流れを形成できるため、密閉筐体１１０の下面から密閉筐体１１０外への放熱性能を向上できる。また、発熱体としての光変調装置１３０が配置されているために高温となり得る主要空間Ｓ１内の空気は、シロッコファン１５０，１５１によって、導風路Ｓ２内に導入され、導風路Ｓ２を通って熱交換器１７０に送られ、熱交換器１７０にて吸熱され、密閉筐体１１０外に放熱される。このようにして、効果的に密閉筐体１１０内を冷却することができ、放熱性能を改善している。
【００３２】
一つの局面において、プロジェクタ１では、投射レンズ２０の光軸Ｌ方向から見て、シロッコファン１５０，１５１は、光変調装置１３０に対して熱交換器１７０と反対側に配置されている。
【００３３】
これにより、密閉筐体１１０内において、シロッコファン１５０，１５１と熱交換器１７０との間での空気の流動距離を長くすることができ、結果として密閉筐体１１０内の全体で空気を流動させることができ、放熱性能を一層向上できる。
【００３４】
一つの局面において、プロジェクタ１では、シロッコファン１５０，１５１は、密閉筐体１１０の第１側部に配置され、熱交換器１７０は、第１側部と対向する第２側部に配置され、投射レンズ２０は、光軸Ｌが第１側部と第２側部との間で延びるように配置され、シロッコファン１５０，１５１によって誘導される密閉筐体１１０内の空気は、光軸Ｌ周りを循環するようにされている。
【００３５】
これにより、熱交換器１７０が密閉筐体１１０の側部の熱交換器ケース１１４内に配置されていることで、熱交換器１７０は密閉筐体１１０の側面から密閉筐体１１０外へ放熱できる。また、シロッコファン１５０，１５１が熱交換器ケース１１４と対向する側部に配置されていることで、前述のようにシロッコファン１５０，１５１と熱交換器１７０との間での空気の流動距離を長くすることができ、結果として密閉筐体１１０内を全体的に冷却できる。また、投射レンズ２０が両側部の間で光軸Ｌが延びるように配置され、密閉筐体１１０内において光軸Ｌ周りを空気が循環するようにされている。ここで、プロジェクタ１では、投射レンズ２０に対して光軸Ｌ方向には光学系の部品が多く配置され得る。そのため、熱交換器１７０およびシロッコファン１５０，１５１等の冷却機構をそれらの光学系の部品が配置されるべき領域を避けて各側部に配置することで、光学系の部品に与える影響を低減することができる。
【００３６】
一つの局面において、プロジェクタ１では、プロジェクタ筐体１０と、密閉筐体１１０とは、下面を共有している。
【００３７】
これにより、プロジェクタ筐体１０と密閉筐体１１０とが下面を共有していることで、密閉筐体１１０の下面（即ちプロジェクタ筐体１０の下面）からの放熱がプロジェクタ１の外部への放熱となるため、プロジェクタ１の放熱性能を向上させることができる。
【００３８】
一つの局面において、プロジェクタ１は、導風路Ｓ２の出口１１５ｂにて熱交換器１７０に向かって配置されたシロッコファン１６０，１６１（第２のシロッコファン）を備える。
【００３９】
これにより、シロッコファン１６０，１６１を設けているため、導風路Ｓ２の出口１１５ｂから熱交換器１７０の空気の送風を一層確実に行うことができる。従って、プロジェクタ１の放熱性能を一層向上させることができる。
【００４０】
一つの局面において、プロジェクタ１は、光変調装置１３０に向かって配置されたシロッコファン１４０〜１４２（第３のシロッコファン）をさらに備える。
【００４１】
これにより、シロッコファンを設けているため、発熱体としての光変調装置１３０を直接冷却できるため、プロジェクタ１の放熱性能を一層向上させることができる。
【００４２】
一つの局面において、プロジェクタ１は、投射レンズ２０は取り外し可能であって、投射レンズ２０の取り付け状態を検知する検知部３１と、検知部３１にて検知された取り付け状態が投射レンズ２０を取り外した状態であるか否かを判定する判定部３２と、判定部３２によって投射レンズ２０を取り外した状態であると判定された際にシロッコファン１５０，１５１を停止するファン停止部３３とを有する制御装置とをさらに備える。
【００４３】
これにより、検知部３１によって投射レンズ２０の取り外し状態を検知し、制御装置３０の判定部３２によって取り外し判定を行い、投射レンズ２０を取り外した際には制御装置３０のファン停止部３３によってシロッコファン１４０〜１４２，１５０，１５１，１６０，１６１を停止する。これにより、投射レンズ２０を取り外した際に、シロッコファン１４０〜１４２，１５０，１５１，１６０，１６１を駆動して密閉筐体１１０内への塵芥を吸い込むことを防止できる。このとき、本実施形態のように、全てのシロッコファン１４０〜１４２，１５０，１５１，１６０，１６１を停止することが好ましいが、一部のシロッコファンのみを停止してもよい。
【００４４】
（他の実施形態）
以上のように、本開示における技術の例示として、第１実施形態を説明した。しかし、本開示における技術は、これに限定されず、適宜、変更、付加、置換、省略などをおこなった実施形態にも適用可能である。また、第１実施形態で説明した各構成要素を組み合わせて新たな実施形態とすることも可能である。その例として以下では他の実施形態についても説明する。
【００４５】
図１２に示す他の実施形態では、第１実施形態のプロジェクタ１の放熱性能が不足している場合、第１実施形態の構成に加え、追加冷却機構１８０がさらに設置され得る。追加冷却機構１８０は、ＤＭＤ１３１〜１３３をより一層冷却するためのものである。追加冷却機構１８０は、ＤＭＤ１３１〜１３３を冷却するための冷却パッド１８１と、冷却パッド１８１に冷媒を供給するための冷媒配管１８２と、冷媒を溜めるための冷媒タンク１８３と、熱交換器１７０および冷媒を冷却するためのシロッコファン１８４とを備える。冷却パッド１８１は、それぞれＤＭＤ１３１〜１３３に取り付けられている。冷媒タンク１８３は、円筒状であり、ファンケース１１３および熱交換器ケース１１４の側方に２個上下に並べて配置されている。シロッコファン１８４は、ファンケース１１３の外部に２個取り付けられており、一方は熱交換器１７０に向けられ、他方は後方に向けられている。即ち、冷媒タンク１８３およびシロッコファン１８４は、密閉筐体１１０外に配置されている。
【００４６】
シロッコファン１８４によって冷却された冷媒は、冷媒配管１８２を通じて冷却パッド１８１に供給され、ＤＭＤ１３１〜１３３を冷却した後、冷媒配管１８２を通じて冷媒タンク１８３に供給され、蓄えられ、再びシロッコファン１８４によって冷却される。このように冷媒は循環しており、冷媒によって各ＤＭＤ１３１〜１３３は冷却されてもよい。
【００４７】
また、他の実施形態では、第１実施形態のプロジェクタ１の放熱性能が過分である場合、第１実施形態の構成においてシロッコファン１４０〜１４２、または、シロッコファン１６０，１６１は設置されなくてもよい。これにより、プロジェクタ１を一層小型化できる。
【００４８】
また、他の実施形態では、本開示の技術は、ＤＬＰ方式以外のＬＣＤ（Ｌｉｑｕｉｄ Ｃｒｙｓｔａｌ Ｄｉｓｐｌａｙ）方式またはＬＣｏＳ（Ｌｉｑｕｉｄ Ｃｒｙｓｔａｌ ｏｎ Ｓｉｌｉｃｏｎ）方式などの方式のプロジェクタにも適用され得る。
【００４９】
以上のように、本開示における技術の例示として、各実施形態を説明した。そのために、添付図面および詳細な説明を提供した。
【００５０】
従って、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００５１】
また、上述の各実施形態は、本開示における技術を例示するためのものであるから、特許請求の範囲またはその均等の範囲において種々の変更、置き換え、付加、省略などを行うことができる。
【産業上の利用可能性】
【００５２】
本開示は、プロジェクタに適用可能である。
【符号の説明】
【００５３】
１  プロジェクタ
１０  プロジェクタ筐体
１１  脚部材
１２  前面パネル
１２ａ  孔部
１３  後面パネル
１４  下面パネル
１４ａ  凹部
１４ｂ  湾曲面
１５  上面パネル
１６，１７  側面パネル
１８  放熱孔
２０  投射レンズ
３０  制御装置
３１  検知部
３２  判定部
３３  ファン停止部
１００  光学ユニット
１１０  密閉筐体
１１１  下側マウントケース
１１１ａ  レンズ取付穴
１１１ｂ  ボタン
１１２  上側マウントケース
１１３  ファンケース
１１４  熱交換器ケース
１１５  導風壁
１１５ａ  開口（入口）
１１５ｂ  出口
１２０  照明光入射部
１２１  採光部
１２２  光誘導部
１３０  光変調装置（発熱体）
１３１〜１３３  ＤＭＤ
１３４  プリズム
１４０〜１４２  シロッコファン（第３のシロッコファン）
１４３  固定用プレート
１５０，１５１  シロッコファン（第１のシロッコファン）
１６０，１６１  シロッコファン（第２のシロッコファン）
１７０  熱交換器（吸熱部）
１７１  フィン
１７２  液冷パイプ
１８０  追加冷却機構
１８１  冷却パッド
１８２  冷媒配管
１８３  冷媒タンク
１８４  シロッコファン
【図１】
2018205462.tif 000003
【図２】
2018205462.tif 000004
【図３】
2018205462.tif 000005
【図４】
2018205462.tif 000006
【図５】
2018205462.tif 000007
【図６】
2018205462.tif 000008
【図７】
2018205462.tif 000009
【図８】
2018205462.tif 000010
【図９】
2018205462.tif 000011
【図１０】
2018205462.tif 000012
【図１１】
2018205462.tif 000013
【図１２】
2018205462.tif 000014